(57)【要約】【課題】  壁の出隅部の防水性を高くすることができる壁用出隅部材を提供する。【解決手段】  壁下地１に取り付けて壁の出隅部を形成するために用いられる出隅部材に関する。壁下地１にビス等の固定具２を打入することにより固定される下地部材４と、下地部材４に嵌着される化粧部材５とからなる。下地部材４には隣接する壁材６の側端部の表面を覆うための防水片７を設けると共に化粧部材５は下地部材４の固定具２の打入部分を覆う。壁材６の側端部を防水片７で覆うと共に固定具２の打入部分を化粧部材５で覆うことができる。【選択図】  図１
2005061155.tif 000002
【特許請求の範囲】
【請求項１】
壁下地に取り付けて壁の出隅部を形成するために用いられる出隅部材であって、壁下地にビス等の固定具を打入することにより固定される下地部材と、下地部材に嵌着される化粧部材とからなり、下地部材には隣接する壁材の側端部の表面を覆うための防水片を設けると共に化粧部材は下地部材の固定具の打入部分を覆って成ることを特徴とする壁用出隅部材。
【請求項２】
下地部材に化粧部材を嵌着するための溝部を設けて成ることを特徴とする請求項１に記載の壁用出隅部材。
【請求項３】
下地部材に固定される固定片を化粧部材に設けて成ることを特徴とする請求項１又は２に記載の壁用出隅部材。
【発明の詳細な説明】
【技術分野】
【０００１】
本発明は、住宅や店舗や工場などの建物の外壁等の出隅部を形成する際に用いられる壁用出隅部材に関するものである。
【背景技術】
【０００２】
従来より、薄板の金属板を折り曲げ成形するなどして形成した板状の壁材を壁下地に取り付けて壁を形成することが行われているが、壁の出隅部は壁材とは形状の異なる壁用出隅部材を用いて形成されている（例えば、特許文献１参照）。
【０００３】
しかし、特許文献１に記載の壁用出隅部材はビス等の固定具を表面から打入して壁下地に取り付けているので、固定具の打入により壁用出隅部材に孔があくことになり、しかも、固定具の打入部分が露出して風雨に曝されることになり、壁の出隅部の防水性が低くなるという問題があった。
【特許文献１】意匠登録第１１６３６８４号公報
【発明の開示】
【発明が解決しようとする課題】
【０００４】
本発明は上記の点に鑑みてなされたものであり、壁の出隅部の防水性を高くすることができる壁用出隅部材を提供することを目的とするものである。
【課題を解決するための手段】
【０００５】
本発明の請求項１に係る壁用出隅部材Ａは、壁下地１に取り付けて壁の出隅部を形成するために用いられる壁用出隅部材であって、壁下地１にビス等の固定具２を打入することにより固定される下地部材４と、下地部材４に嵌着される化粧部材５とからなり、下地部材４には隣接する壁材６の側端部の表面を覆うための防水片７を設けると共に化粧部材５は下地部材４の固定具２の打入部分を覆って成ることを特徴とするものである。
【０００６】
この発明によれば、壁材６の側端部を防水片７で覆うと共に固定具２の打入部分を化粧部材５で覆うことができ、壁材６の側端部及び固定具２の打入部分が風雨に曝されにくくなって防水性を高くすることができるものである。
【０００７】
本発明の請求項２に係る壁用出隅部材Ａは、請求項１に加えて、下地部材４に化粧部材５を嵌着するための溝部３を設けて成ることを特徴とするものである。
【０００８】
この発明によれば、溝部３に化粧部材５を弾性的に嵌着することができ、化粧部材５の取り付けを容易に行うことができるものである。
【０００９】
本発明の請求項３に係る壁用出隅部材Ａは、請求項１又は２に加えて、下地部材４に固定される固定片２８を化粧部材５に設けて成ることを特徴とするものである。
【００１０】
この発明によれば、固定片２８を下地部材４に固定することによって、下地部材４と化粧部材５とを強固に連結することができ、化粧部材５のずれ落ち等の脱落を防止することができるものである。
【発明の効果】
【００１１】
本発明は、壁材の側端部を防水片で覆うと共に固定具の打入部分を化粧部材で覆うことができ、壁材の側端部及び固定具の打入部分が風雨に曝されにくくなって防水性を高くすることができるものである。
【発明を実施するための最良の形態】
【００１２】
以下、本発明を実施するための最良の形態を説明する。
【００１３】
本発明の壁用出隅部材Ａは下地部材４と化粧部材５とから構成されるものである。下地部材４及び化粧部材５は薄板の金属板をロール成形法などで折り曲げ加工することによって、上下方向に長尺に形成されるものである。下地部材４及び化粧部材５を形成する金属板としては、例えば、厚み０．３〜１．０ｍｍ程度のステンレス鋼板、めっき鋼板、塗装鋼板などを挙げることができるが、これに限定されるものではない。
【００１４】
下地部材４は全長に亘って図２（ａ）〜（ｃ）に示すような略一定の断面形状に形成されるものである。すなわち、下地部材４は断面略Ｌ字状に形成される固定部２０と、固定部２０の各側端部に突設される挟持片２１と、各挟持片２１の側端部に突設される防水片７とを備えて形成されている。挟持片２１は固定部２０の側端部から表側（固定部２０の出隅側）に向かって折曲形成されており、また、各挟持片２１は下地部材４の外側方（固定部２０の出隅と反対側）に向かって凸曲形成されている。また、各防水片７は挟持片２１の側端部から裏側（固定部２０の出隅と反対側）に向かって折曲形成されている。そして、固定部２０と両方の挟持片２１とで囲まれる空間が溝部３として形成されている。
【００１５】
化粧部材５は全長に亘って図３（ａ）〜（ｃ）に示すような略一定の断面略Ｕ字状に形成されるものである。すなわち、化粧部材５は表面側に向かって凸曲する被覆板部２２と、被覆板部２２の両側端部に突設される嵌着片２３とを備えて形成されている。嵌着片２３は被覆板部２２の側端部から裏側に向かって折曲形成されており、また、各嵌着片２３の基部にはバネ部２４が折曲形成されており、このバネ部２４により嵌着片２３が互いに近接離間する方向に弾性変形自在に形成されている。
【００１６】
そして、本発明の壁用出隅部材Ａを用いて建物の壁（外壁）を形成するにあたっては、次のようにして行う。まず、壁下地１の出隅部分に沿って捨て板３０を取り付ける。捨て板３０は上記と同様の金属板を用いて上下方向に長尺に形成され、また、断面略Ｌ字状に折り曲げて形成されている。また、捨て板３０は壁下地１の出隅部分を跨ぐように配置した後、表面側（屋外側）からビス等の固定具３１を打入することにより壁下地１に固定されるものである。壁下地１としては柱２５やそれに取り付けた横胴縁２６などを例示することができるが、これに限らず、壁下地１としてはパネルなどであっても良い。
【００１７】
次に、壁下地１の表面（屋外側面）に複数枚の壁材６を並べて取り付ける。壁材６としては略板状のものであれば特に制限なく用いることができ、例えば、図１に示すように、上下方向に長い複数本の突条３４をロール成形法などで折り曲げ加工して表面に突設した金属製の壁材６などを用いることができる。このような壁材６は上記と同様の薄板の金属板を用いて上下方向に長尺に形成することができる。また、壁下地１の出隅部分の頂部の両側近傍に壁材６の側端部が位置するように壁材６を配置する。
【００１８】
次に、壁下地１の出隅部分の頂部を挟んで隣接する一対の壁材６の側端部間において、捨て板３０の表面側に壁用出隅部材Ａの下地部材４を配設する。この時、下地部材４の固定部２０の入隅側面（裏面）が捨て板３０の出隅側面（表面）に密着するように下地部材４を配置し、固定部２０の表面側から捨て板３０を貫通して壁下地１にまでビス等の固定具２を打入することにより下地部材４を壁下地１の出隅部分に略全長に亘って固定することができる。また、壁下地１の出隅部分に取り付けた下地部材４の各防水片７は下地部材４に隣接する壁材６の側端部の突条３４の表面側に位置するものであり、これにより、下地部材４に隣接する壁材６の側端部の表面を上下方向の全長に亘って防水片７で覆うことができるものである。
【００１９】
次に、壁下地１の出隅部分に取り付けた下地部材４の溝部３に化粧部材５を嵌合することによって、下地部材４の上下方向の全長に亘って化粧部材５を嵌着する。下地部材４の溝部３に化粧部材５を嵌合するにあたっては、指等で一対の嵌着片２３を互いに近づけるようにバネ部２４の部分で弾性変形させながら化粧部材５を溝部３にその開口から挿入していくものであり、溝部３に挿入された化粧部材５は溝部３内で元の状態に戻ると共に化粧部材５の嵌着片２３の外面が下地部材４の挟持片２１の内面に圧接するものであり、これにより、化粧部材５が下地部材４の一対の挟持片２１で挟持されて下地部材４に化粧部材５が嵌着されるものである。このようにして壁材６及び壁用出隅部材Ａからなる図１、図４、図５に示すような構造の壁を形成することができるものである。
【００２０】
そして、本発明の壁用出隅部材Ａでは下地部材４とこれに隣接する壁材６の側端部との間に形成される隙間を防水片７で覆うことができると共に下地部材４を壁下地１に固定する固定具２の打入部分を化粧部材５で覆うことができ、壁材６の側端部と下地部材４の隙間及び固定具２の打入部分が風雨に曝されにくくなって防水性を高くすることができるものである。また、化粧部材５はその弾性力を利用して下地部材４の溝部３に弾性的に嵌着することができ、化粧部材５の取り付けを容易に行うことができるものである。
【００２１】
本発明の壁用出隅部材Ａは上下方向の寸法を所定の長さ（例えば３ｍ程度）に形成することができるが、この所定の長さよりも高い壁を形成する場合は二つ以上の壁用出隅部材Ａを上下に接続して用いるようにする。この場合、上下に隣接する壁用出隅部材Ａの接続を行いやすくするために、下側に位置する壁用出隅部材Ａの下地部材４と化粧部材５の上端部（上端から２０〜５０ｍｍ程度の部分）に接続片４０、５０をそれぞれ形成するものである。下地部材４の接続片４０は、図６（ａ）（ｂ）に示すように、下地部材４の上端部において固定部２０及び挟持片２１を除去することにより下地部材４の上端部に残存する防水片７で形成するものである。この接続片４０は裏面側に若干押圧されており、これにより、接続片４０の基部には段部４１が形成されている。また、化粧部材５の接続片５０は、図７（ａ）（ｂ）に示すように、化粧部材５の上端部において嵌着片２３を除去することにより化粧部材５の上端部に残存する被覆板部２２とバネ部２４とで形成するものである。この接続片５０は裏面側に若干押圧されており、これにより、接続片５０の基部には段部５１が形成されている。
【００２２】
そして、上下に隣接する壁用出隅部材Ａを接続するにあたっては、下側に位置する下地部材４の接続片４０を上側に位置する下地部材４の下端部の裏面側（屋内側）に差し込んで位置させると共に下側に位置する下地部材４の段部４１を上側に位置する下地部材４の下端に当接し、下側に位置する化粧部材５の接続片５０を上側に位置する化粧部材５の下端部の裏面側（屋内側）に差し込んで位置させると共に下側に位置する化粧部材５の段部５１を上側に位置する化粧部材５の下端に当接するように施工して、図８に示すような壁を形成するものであり、これにより、複数の壁用出隅部材Ａを上下方向に接続して高い壁を形成する際にも適用することができるものである。尚、上記では下側に位置する壁用出隅部材Ａとして接続片４０、５０を形成した下地部材４や化粧部材５を用いる場合について説明したが、これに限らず、上側に位置する壁用出隅部材Ａとしても接続片４０、５０を形成した下地部材４や化粧部材５を用いることができる。
【００２３】
図９には他の実施の形態を示す。この壁用出隅部材Ａでは化粧部材５の上端に一対の固定片２８を突設して形成されており、この構成以外は上記とほぼ同様に形成されている。すなわち、図１０（ａ）〜（ｃ）に示すように、化粧部材５は上記と同様に、被覆板部２２と嵌着片２３とバネ部２４とを有して形成されているが、被覆板部２２と各バネ部２４との間には平坦部２７が形成されており、各平坦部２７の上端に固定片２８が設けられている。従って、この化粧部材５は図３に示すものよりもやや幅広に形成されている。固定片２８は化粧部材５の上端に裏側（背方）に向かって斜め上向きに突出するものであり、固定片２８の先端は連結部２９として屈曲形成されている。一方、図１１（ａ）〜（ｃ）に示すように、下地部材４は一対の挟持片２１の間隔、すなわち、溝部３の間隔を化粧部材５の幅寸法に応じてやや幅広に形成する以外は、図２に示すものと同様に形成されている。
【００２４】
そして、図１０（ａ）〜（ｃ）の化粧部材５と図１１（ａ）〜（ｃ）の下地部材４とは上記とほぼ同様にして施工することができる。すなわち、上記と同様にして壁下地１の出隅部分に取り付けた下地部材４の溝部３に化粧部材５を嵌合することによって、下地部材４の上下方向の全長に亘って化粧部材５を嵌着するものであるが、この後さらに、図１２に示すように、化粧部材５に設けた固定片２８を下地部材４に固定するものである。下地部材４に対する固定片２８の固定は連結部２９を下地部材４の溝部３の底面、すなわち、下地部材４の固定部２０の表面に連結部２９を当接し、この連結部２９と固定部２０及び捨て板３０を貫通するようにしてビス等の固定具３２を打入する。
【００２５】
この実施の形態では、固定片２８を下地部材４に固定することによって、下地部材４と化粧部材５とを強固に連結することができ、化粧部材５のずれ落ち等の脱落を防止することができるものである。尚、図９に示す実施の形態では、下地部材４の固定部２０の上部における固定具３２の打入部分が化粧部材５の被覆板部２２で覆われないが、固定具３２の打入部分は建物の軒などの一部分で覆われて風雨に曝されにくいものであり、従って、固定具３２の打入部分において防水性が低下することはないものである。
【００２６】
また、図１０（ａ）〜（ｃ）の化粧部材５と図１１（ａ）〜（ｃ）の下地部材４を用いた壁用出隅部材Ａを図８に示すように上下に接続する場合は、図１３（ａ）（ｂ）及び図１４（ａ）（ｂ）に示すように、上記と同様にして、下側に位置する壁用出隅部材Ａの下地部材４と化粧部材５の上端部に接続片４０、５０及び段部４１、５１をそれぞれ形成するものである。この場合、化粧部材５の接続片５０の上端に固定片２８が設けられることになる。下地部材４と化粧部材５は上記と同様にして施工されるものである。尚、下側に位置する壁用出隅部材Ａとして接続片４０、５０を形成した下地部材４や化粧部材５を用いるだけでなく、上側に位置する壁用出隅部材Ａとしても接続片４０、５０を形成した下地部材４や化粧部材５を用いることができる。また、上記と同様に下側に位置する壁用出隅部材Ａの化粧部材５の接続部５０と、上側に位置する壁用出隅部材Ａの化粧部材５の下部とは嵌合するために、下側の化粧部材５の固定片２８を固定する固定具３２の打入部分は、上側に位置する壁用出隅部材Ａの化粧部材５の下部で覆われることになり、これにより、固定具３２の打入部分において防水性が低下することはないものである。
【図面の簡単な説明】
【００２７】
【図１】本発明の実施の形態の一例を示す断面図である。
【図２】同上の下地部材の一例を示し、（ａ）は表面側の斜視図、（ｂ）は裏面側の斜視図、（ｃ）は断面図である。
【図３】同上の化粧部材の一例を示し、（ａ）は表面側の斜視図、（ｂ）は裏面側の斜視図、（ｃ）は断面図である。
【図４】同上の施工状態の一例を示す斜視図である。
【図５】同上の施工状態の一例を示す一部の斜視図である。
【図６】同上の下地部材の他例を示し、（ａ）は表面側の斜視図、（ｂ）は裏面側の斜視図である。
【図７】同上の化粧部材の他例を示し、（ａ）は表面側の斜視図、（ｂ）は裏面側の斜視図である。
【図８】同上の施工状態の一例を示す斜視図である。
【図９】同上の施工状態の他例を示す上部の斜視図である。
【図１０】同上の化粧部材の他例を示し、（ａ）は表面側の斜視図、（ｂ）は裏面側の斜視図、（ｃ）は断面図である。
【図１１】同上の下地部材の他例を示し、（ａ）は表面側の斜視図、（ｂ）は裏面側の斜視図、（ｃ）は断面図である。
【図１２】同上の施工状態の他例を示す平面図である。
【図１３】同上の化粧部材の他例を示し、（ａ）は表面側の斜視図、（ｂ）は裏面側の斜視図である。
【図１４】同上の下地部材の他例を示し、（ａ）は表面側の斜視図、（ｂ）は裏面側の斜視図である。
【符号の説明】
【００２８】
１  壁下地
２  固定具
３  溝部
４  下地部材
５  化粧部材
６  壁材
７  防水片
２８  固定片
Ａ  壁用出隅部材
【図１】
2005061155.tif 000003
【図２】
2005061155.tif 000004
【図３】
2005061155.tif 000005
【図４】
2005061155.tif 000006
【図５】
2005061155.tif 000007
【図６】
2005061155.tif 000008
【図７】
2005061155.tif 000009
【図８】
2005061155.tif 000010
【図９】
2005061155.tif 000011
【図１０】
2005061155.tif 000012
【図１１】
2005061155.tif 000013
【図１２】
2005061155.tif 000014
【図１３】
2005061155.tif 000015
【図１４】
2005061155.tif 000016